(57)【特許請求の範囲】
【請求項１】
ネットワークの共有方法であって、
アクセスユーザの情報と共有ネットワークオペレータの帯域幅占有情報を取得し、且つ前記アクセスユーザの情報に基づいてアクセスユーザのサービス実行順序情報を決定することと、
共有ネットワークオペレータの帯域幅占有情報を修正することと、
アクセスユーザのサービス実行順序情報と修正された共有ネットワークオペレータの帯域幅占有情報に基づいて帯域幅リソースを割り当てることと、
実際の帯域幅リソース情報を統計し、統計された前記実際の帯域幅リソース情報に基づいて基地局の間にサービスの均衡を行うこと、又は、実際の帯域幅リソース情報を統計し、統計された前記実際の帯域幅リソース情報に基づいて新しい帯域幅修正値を決定し、前記新しい帯域幅修正値は、次回に共有ネットワークオペレータの帯域幅占有情報を修正することに用いられることと、を含む、前記ネットワークの共有方法。
【請求項２】
前記アクセスユーザの情報を取得することは、アクセスユーザが属しているオペレータの情報と要求サービス情報を取得する
請求項１に記載のネットワークの共有方法。
【請求項３】
前記アクセスユーザのサービス実行順序情報を決定することは、具体的に、取得された前記アクセスユーザの情報と共有ネットワークオペレータのサービス実行シーケンシング情報に基づいて前記アクセスユーザのサービス実行順序情報を決定する
請求項２に記載のネットワークの共有方法。
【請求項４】
前記新しい帯域幅修正値を決定することは、
共有ネットワークオペレータにおけるすべてのアクセスユーザが実際に占有した帯域幅リソース情報を統計するステップと、
共有ネットワークオペレータにおけるすべてのアクセスユーザが実際に占有した帯域幅リソース情報と前記共有ネットワークオペレータの帯域幅占有情報に基づいて帯域幅修正値を決定するステップとを含む
請求項１に記載のネットワークの共有方法。
【請求項５】
前記帯域幅占有情報は、帯域幅占有の数値又は帯域幅占有の比例である
請求項１に記載のネットワークの共有方法。
【請求項６】
ネットワークの共有装置であって、
アクセスユーザの情報と共有ネットワークオペレータの帯域幅占有情報を取得し、且つ前記アクセスユーザの情報に基づいてアクセスユーザのサービス実行順序情報を決定するように構成される取得モジュールと、
共有ネットワークオペレータの帯域幅占有情報を修正するように構成される共有モジュールと、
アクセスユーザのサービス実行順序情報と修正された共有ネットワークオペレータの帯域幅占有情報に基づいて帯域幅リソースを割り当て、且つ実際の帯域幅リソース情報を統計し、統計された実際の帯域幅リソース情報に基づいて基地局の間にサービスの均衡を行う、又は、アクセスユーザのサービス実行順序情報と修正された共有ネットワークオペレータの帯域幅占有情報に基づいて帯域幅リソースを割り当て、且つ実際の帯域幅リソース情報を統計し、統計された実際の帯域幅リソース情報に基づいて新しい帯域幅修正値を決定するように構成されるスケジューリングモジュールと、を備え、
前記新しい帯域幅修正値は、次回に共有ネットワークオペレータの帯域幅占有情報を修正することに用いられる、前記ネットワークの共有装置。
【請求項７】
前記共有モジュールは前記スケジューリングモジュールに嵌め込まれた共有サブモジュールである
請求項６に記載のネットワークの共有装置。
【請求項８】
コンピュータ記憶媒体であって、
請求項１ないし５のいずれか１項に記載の方法を実行するためのコンピュータ実行可能な命令を記憶している、前記コンピュータ記憶媒体。
【発明の詳細な説明】
【技術分野】
【０００１】
本発明は移動通信分野に関し、特に長期進化（Ｌｏｎｇ  Ｔｉｍｅ  Ｅｖｏｌｕｔｉｏｎ：ＬＴＥ）分野におけるネットワークの共有方法、装置、システム及びコンピュータ記憶媒体に関する。
【背景技術】
【０００２】
投資コスト及び運営コストを削減するために、オペレータはネットワーキングする際に、連携してネットワークの共有を実現することができ、周波数バンド多重と呼ばれている。ネットワークの共有は複数のオペレータが一つの基地局を共有する又は連携してネットワーキングすることであり、即ち一つ又は複数の基地局により構成された通信ネットワークに対して、複数のオペレータのユーザがアクセスすることを許可し、各オペレータが帯域幅を占有する基準は各オペレータが協商して決定される。
【０００３】
ＬＴＥシステムにおいて、２０ＭＨｚのスペクトル帯域幅リソースがあって、１００個のリソースブロック（Ｒｅｓｏｕｒｃｅ  Ｂｌｏｃｋ：ＲＢ）を含み、各オペレータが上記リソースの占有状況を協商することができ、基地局はユーザのサービス要求及びオペレータが協商した基準に基づいて、これらのリソースを割り当て、各ユーザが整数個のＲＢを占有することができる。
【０００４】
従来技術において周波数バンドの共有方案が存在するが、これらの方案はオペレータの帯域幅の搬送周波数が固定された状態に基づいて提出されて、一つのオペレータにより占有されるネットワークリソースが過剰であるが、他のオペレータのリソースが不足である状況下で、柔軟的にスケジューリングしてスペクトルリソースの利用率を向上させることをまだ解決できなかった。
【発明の概要】
【０００５】
これを鑑みて、本発明の実施形態は、具体的な周波数バンドを固定に割り当てな状況下で、スケジューリングによって、複数のオペレータがネットワークを柔軟的に共有するネットワークの共有方法、装置、システム及びコンピュータ記憶媒体を提供することにある。
【０００６】
当該課題を解決するために、本発明の実施形態に係る技術方案は下記のように採用される。
【０００７】
本発明の実施形態における第一形態はネットワークの共有方法を提供し、前記方法は、アクセスユーザの情報と共有ネットワークオペレータの帯域幅占有情報を取得し、且つ前記アクセスユーザの情報に基づいてアクセスユーザのサービス実行順序情報を決定することと、共有ネットワークオペレータの帯域幅占有情報を修正することと、アクセスユーザのサービス実行順序情報と修正された共有ネットワークオペレータの帯域幅占有情報に基づいて帯域幅リソースを割り当てることと、実際の帯域幅リソース情報を統計し、統計された前記実際の帯域幅リソース情報に基づいて基地局の間にサービスの均衡を行う又は新しい帯域幅修正値を決定して次回に共有ネットワークオペレータの帯域幅占有情報を修正することと、を含む。
【０００８】
本発明の実施形態における第二形態はネットワークの共有装置を提供し、前記装置は、アクセスユーザの情報と共有ネットワークオペレータの帯域幅占有情報を取得し、且つ前記アクセスユーザの情報に基づいてアクセスユーザのサービス実行順序情報を決定するように構成された取得モジュールと、共有ネットワークオペレータの帯域幅占有情報を修正するように構成された共有モジュールと、アクセスユーザのサービス実行順序情報と修正された共有ネットワークオペレータの帯域幅占有情報に基づいて帯域幅リソースを割り当て、且つ実際の帯域幅リソース情報を統計し、統計された前記実際の帯域幅リソース情報に基づいて基地局の間にサービスの均衡を行う又は新しい帯域幅修正値を決定するように構成されたスケジューリングモジュールと、を備え、
前記新しい帯域幅修正は、次回に共有ネットワークオペレータの帯域幅占有情報を修正することに用いられる。
【０００９】
本発明の実施形態における第三形態はネットワークの共有システムを提供し、前記システムは基地局と共有装置を備え、前記基地局は取得モジュールとスケジューリングモジュールを備え、
前記共有装置は、共有ネットワークオペレータの帯域幅占有情報を修正し、および統計された前記実際の帯域幅リソース情報に基づいて基地局の間にサービスの均衡を行うように構成される。
【００１０】
本発明の実施形態における第四形態はコンピュータ記憶媒体を提供し、前記コンピュータ記憶媒体は、本発明の実施形態の第一形態に記載の前記方法のうちの少なくとも一つを実行するためのコンピュータ実行可能な命令を記憶している。
【００１１】
本発明の実施形態に係る方法、装置、システム又はコンピュータ記憶媒体によれば、ネットワークの共用に対する複数のオペレータの要求を満たし、スペクトルリソースの利用率を向上させ、オペレータの投資コストを更に削減させ、これによって、将来、混合スケジューリングに対するマルチオペレータの要求に更に適応する。
【図面の簡単な説明】
【００１２】
【図１】本発明の実施形態によるネットワークの共有方法のフローチャートである。
【図２】本発明の実施形態によるネットワークの共有方法のフローチャートである。
【図３】本発明の実施形態によるネットワークの共有装置の構造模式図である。
【図４】本発明の実施形態による別種のネットワークの共有装置の構造模式図である。
【図５】本発明の実施形態によるネットワークの共有システムの構造模式図である。
【図６】本発明の実施形態による別種のネットワークの共有システムの構造模式図である。
【図７】本発明の実施形態による別種のネットワークの共有装置の構造模式図である。
【発明を実施するための形態】
【００１３】
以下、図面を参照して本発明の最適な実施形態について詳しく説明し、以下説明された最適な実施形態はただ本発明を説明及び解説することに用いられ、本発明を限定することではない。
【００１４】
本発明の実施形態はネットワークの共有方法、装置及びシステムを提供して、アクセスユーザが属しているオペレータ情報、要求サービス情報、複数のオペレータが協商した帯域幅占有情報及びオペレータのサービスシーケンシング情報に基づいてリソースのスケジューリングを完成して、ネットワークの共有を実現する。
【００１５】
本発明の実施形態における第一形態はネットワークの共有方法を開示し、図１に示すように、前記方法は下記のステップを含む。
【００１６】
ステップＳ１０１：アクセスユーザの情報と共有ネットワークオペレータの帯域幅占有情報を取得し、且つアクセスユーザのサービス実行順序情報を決定することであり、ここで、アクセスユーザのサービス実行順序を決定することは、具体的に、取得されたアクセスユーザの情報に基づいてアクセスユーザのサービス実行順序情報を決定することである。
【００１７】
ステップＳ１０２：共有ネットワークオペレータの帯域幅占有情報を修正する。
【００１８】
ステップＳ１０３：アクセスユーザのサービス実行順序情報と修正された共有ネットワークオペレータの帯域幅占有情報に基づいて帯域幅リソースを割り当てる。
【００１９】
ステップＳ１０４：実際の帯域幅リソース情報を統計して均衡を行う又は新しい帯域幅修正値を決定して次の修正を行う。前記実際の帯域幅リソース情報を統計して均衡を行うことは実際の帯域幅リソース情報を統計して、統計された実際の帯域幅リソース情報に基づいて基地局の間にサービスの均衡を行う。
【００２０】
ステップＳ１０４において、決定された帯域幅修正値は、次回にステップＳ１０２を実行する際に、共有ネットワークオペレータの帯域幅占有情報を修正することに用いられる。
【００２１】
本発明の実施形態に開示されたネットワークの共有方法は、図２に示すように、具体的に以下のステップを含む。
【００２２】
ステップ１０１：アクセスユーザの情報を取得する。
【００２３】
ステップ１０２：取得されたアクセスユーザの情報と共有ネットワークオペレータのサービスシーケンシング情報に基づいてアクセスユーザのサービス実行順序情報を決定する。
【００２４】
ステップ１０３：アクセスユーザのサービス実行順序情報と修正された共有ネットワークオペレータの帯域幅占有情報に基づいて帯域幅リソースを割り当てる。
【００２５】
ステップ１０４：共有ネットワークオペレータにおけるすべてのアクセスユーザが実際に占有した帯域幅リソース情報を統計する。
【００２６】
ステップ１０５：共有ネットワークオペレータにおけるすべてのアクセスユーザが実際に占有した帯域幅リソース情報と共有ネットワークオペレータの帯域幅占有情報に基づいて帯域幅修正値を決定する。
【００２７】
ステップ１０６：帯域幅修正値を使用して異なる基地局におけるサービスを均衡する又は次回のスケジューリング機会内の共有ネットワークオペレータの帯域幅占有情報を修正する。
【００２８】
アクセスユーザ情報は、アクセスユーザ要求サービス情報と属しているオペレータ情報を含む。アクセスユーザ要求サービス情報は、要求サービスの属性情報であり、サービス遅延、サービスの割り当て及び保有優先順位（Ａｌｌｏｃａｔｉｏｎ  ａｎｄ  Ｒｅｔｅｎｔｉｏｎ  Ｐｒｉｏｒｉｔｙ：ＡＲＰ）及びサービス優先順位を含み、例えば、各種の保証ビットレート（Ｇｕａｒａｎｔｅｅｄ  Ｂｉｔ  Ｒａｔｅ：ＧＢＲ）サービスと非保証ビットレート（Ｎｏｎ  Ｇｕａｒａｎｔｅｅｄ  Ｂｉｔ  Ｒａｔｅ：ＮｏｎＧＢＲ）サービスとの間の優先順位などである。アクセスユーザが属しているオペレータ情報は、アクセスユーザが属しているオペレータの情報である。
【００２９】
共有ネットワークオペレータのサービスシーケンシング情報は、オペレータがそのネットワークにアクセスした端末ユーザに対して、その要求サービスの属性に応じて端末ユーザのサービス実行順序をソートする情報であり、オペレータは、そのサービス要求に応じて異なる基地局で異なるサービスシーケンシング情報を設定することができる。共有ネットワークの複数のオペレータが同一のサービスシーケンシングポリシーを選択する場合、スケジューリングする際に異なるオペレータにおけるすべてのアクセスユーザを統一的に順序をソートすることができる。共有ネットワークの複数のオペレータが同一のサービスシーケンシングポリシーを選択しない場合、スケジューリングする際に異なるオペレータにおけるアクセスユーザを異なるユーザキューに入れて、それぞれ順序をソートすることができる。
【００３０】
オペレータ帯域幅占有情報は主に以下の帯域幅占有比例と帯域幅修正値を含む。
【００３１】
帯域幅占有比例：各オペレータが全帯域幅を占有する比例を表し、同時に、すべてのオペレータが共同に占有できる帯域幅の比例を更に含む。例えば、二つのオペレータは一つの基地局を共有し、オペレータＡの帯域幅占有比例が５０％であり、オペレータＢの帯域幅占有比例が３０％であり、共同に占有する帯域幅比例が２０％であり、２０ＭＨｚの周波数バンドに対して、オペレータＡが占有できる周波数バンドが２０＊（５０％＋２０％）＝１４ＭＨｚであり、ＬＴＥシステムにおいて７０個のＲＢに対応し、当該数値は帯域幅のサイズのみ表し、帯域幅が属している周波数バンドの位置を表すことではない。
【００３２】
帯域幅修正値：当該数値は二つの側面の情報を含む。まずある一つのスケジューリング機会内に、ある一つのオペレータの帯域幅が完全に割り当てられていなくて、残りの帯域幅リソースに対する他のオペレータの使用を許可するかどうかを示す。セルスペクトルリソースの利用率（セルスケジューリング平均使用リソース／セル総帯域幅リソース）を向上させることから、リソースが全部利用されることを所望するが、オペレータの要求も考慮しなければならない。更に、残りの帯域幅リソースを互いに占有することが許可される場合、ある一つのオペレータは実際に占有した帯域幅リソースと使用可能な帯域幅の上限との差を示す。他のオペレータが残りのリソースを占有することが許可されない場合、帯域幅修正値は０であることを認めてよい。ある一つのオペレータがリソースを全部使用しなくて且つ他のオペレータが当該残りのリソースを占有することが許可される場合、帯域幅修正値はある一つのオペレータが実際に占有した帯域幅リソースと使用可能な帯域幅の上限の差である。
【００３３】
本発明の実施形態における別の形態はネットワークの共有装置を更に開示し、前記装置は取得モジュール、共有モジュールおよびスケジューリングモジュールを備える。
【００３４】
取得モジュールは、アクセスユーザの情報と共有ネットワークオペレータの帯域幅占有情報を取得し、且つアクセスユーザのサービス実行順序情報を決定するように構成され、アクセスユーザのサービス実行順序情報を決定することは、具体的に、取得されたアクセスユーザの情報に基づいて決定する。
【００３５】
共有モジュールは、共有ネットワークオペレータの帯域幅占有情報を修正するように構成される。
【００３６】
スケジューリングモジュールは、アクセスユーザのサービス実行順序情報と修正された共有ネットワークオペレータの帯域幅占有情報に基づいて帯域幅リソースを割り当て、且つ実際の帯域幅リソース情報を統計し、均衡を行う又は新しい帯域幅修正値を決定するように構成される。帯域幅占有基準に基づいて、オペレータの間は残りのリソースを互いに占有することが許可されない場合、帯域幅修正値を計算する必要がない。
【００３７】
ここで、前記スケジューリングモジュールは実際の帯域幅リソース情報を統計して均衡を行うように構成される場合、具体的に、実際の帯域幅リソース情報を統計し、統計された実際の帯域幅リソース情報に基づいて基地局の間にサービスの均衡を行うように構成される。
【００３８】
ここで、前記新しい帯域幅修正は次回に共有ネットワークオペレータの帯域幅占有情報を修正することに用いられる。
【００３９】
当該共有モジュールは前記スケジューリングモジュールに嵌め込まれて、共有サブモジュールになる。
【００４０】
本発明の実施形態は同時にネットワークの共有システムを更に開示し、前記システムは基地局と共有装置を備え、前記基地局は取得モジュールとスケジューリングモジュールを備え、前記共有装置は、共有ネットワークオペレータの帯域幅占有情報を修正し、及び均衡を行うように構成される。
【００４１】
前記共有装置は具体的に、共有ネットワークオペレータの帯域幅占有情報を修正し、及び統計された前記実際の帯域幅リソース情報に基づいて基地局の間にサービスの均衡を行うように構成される。
【００４２】
上記ネットワークの共有装置の詳細な構造は図７に示すように、前記装置はプロセッサ３０２、記憶媒体３０４及び少なくとも一つの外部通信インターフェース３０１を備える。前記プロセッサ３０２、記憶媒体３０４及び外部通信インターフェース３０１はバス３０３を介してそれぞれ接続されている。前記プロセッサ３０２はマイクロプロセッサ、中央処理装置、デジタルシグナルプロセッサ又はプログラムロジックアレイなどの処理機能を有する電子部品であってよい。
【００４３】
前記記憶媒体３０４には、コンピュータ実行可能な命令を格納される。前記プロセッサ３０２は前記記憶媒体３０４に格納された前記コンピュータ実行可能な命令を実行して下記のステップを実現できる。すなわち、
アクセスユーザの情報と共有ネットワークオペレータの帯域幅占有情報を取得し、且つアクセスユーザのサービス実行順序情報を決定するステップと、
共有ネットワークオペレータの帯域幅占有情報を修正するステップと、
アクセスユーザのサービス実行順序情報と修正された共有ネットワークオペレータの帯域幅占有情報に基づいて帯域幅リソースを割り当てるステップと、
実際の帯域幅リソース情報を統計し、統計された前記実際の帯域幅リソース情報に基づいて基地局の間にサービスの均衡を行う又は新しい帯域幅修正値を決定して次回に共有ネットワークオペレータの帯域幅占有情報を修正するステップとを含む。
【００４４】
本発明の実施形態はコンピュータ記憶媒体を更に提供し、前記コンピュータ記憶媒体はコンピュータ実行可能な命令を記憶しており、前記コンピュータ実行可能な命令は本発明の実施形態に記載のネットワークの共有方法のうちの少なくとも一つを実行することに用いられる。
【００４５】
前記記憶媒体は具体的に磁気テープ、ＤＶＤ、ディスク、モバイルディスク又はＵＳＢなどの記憶媒体であってよく、最適的に、非瞬間的記憶媒体であってよい。
【００４６】
以下、図面を参照して具体的な実施形態により本発明に係る技術方案が詳細に説明される。
【００４７】
実施形態一
二つのオペレータが一つの基地局を共有し、二つのオペレータが２０ＭＨｚ、１００個のＲＢであるネットワーク帯域幅リソースを共有し、オペレータＡの帯域幅占有比例が５０％であり、オペレータＢの帯域幅占有比例が３０％であり、共同占有帯域幅比例が２０％である。他のオペレータが使用しない残りのリソースを互いに占有することが許可される。オペレータのサービスシーケンシングポリシーが同一である。オペレータＡの帯域幅修正値の初期値はΔＡ＝０である。
【００４８】
上記の情報に基づいて、ネットワークの共有方法のステップを詳細に説明する。
【００４９】
ステップ２０１：基地局はアクセスユーザが属しているオペレータの情報と要求サービス情報を取得する。オペレータＡに三つのユーザがアクセスされて、ＵＥ  ＩＤ＝１のユーザが一種のＮｏｎＧＢＲサービスにアクセスし、ＵＥ  ＩＤ＝２のユーザが一種のＮｏｎＧＢＲサービスにアクセスし、ＵＥ  ＩＤ＝３のユーザが一種のＧＢＲサービスにアクセスする。オペレータＢに二つのユーザがアクセスされて、ＵＥ  ＩＤ＝４のユーザが一種のＧＢＲサービスにアクセスし、ＵＥ  ＩＤ＝５のユーザが一種のＮｏｎＧＢＲサービスにアクセスする。
【００５０】
ステップ２０２：基地局はアクセスユーザのサービス実行順序情報を決定する。オペレータのサービスシーケンシングポリシーが同一であるので、二つのオペレータのアクセスユーザが共に行列する。サービス優先保証レベルに応じて、ＵＥ  ＩＤ＝３及び４のユーザのサービスレベルが同じであり、共にソートし、ソートの結果は、ＵＥ  ＩＤ＝４  →  ＵＥ  ＩＤ＝３である。ＵＥ  ＩＤ＝１、２、５のユーザのサービスレベルが同じであり、共にソートし、ソートの結果は、ＵＥ  ＩＤ＝２  →  ＵＥ  ＩＤ＝５  →  ＵＥ  ＩＤ＝１である。
【００５１】
ステップ２０３：基地局は共有ネットワークオペレータの帯域幅占有情報を修正する。二つのオペレータは一つの帯域幅修正値のみ必要とし、オペレータＡの帯域幅修正値の初期値は であり、修正する必要がない。オペレータＡの割り当て帯域幅の上限は：１００＊（５０％＋２０％）＝７０個のＲＢである。オペレータＢの割り当て帯域幅の上限は、１００＊（３０％＋２０％）＝５０個のＲＢである。この際、オペレータＡに対して、その割り当て帯域幅は帯域幅の範囲であって、「５０、７０」であり、オペレータＢが割り当て帯域幅も範囲であって、「３０、５０」である。割り当て帯域幅の上限は理論的に各オペレータが占有できる帯域幅の最大値であり、従って、その上限の総和はシステム提供可能な１００個のＲＢを超えてもよい。
【００５２】
従って、現在スケジューリング機会内にオペレータＡが使用できる帯域幅の上限は７０ＲＢであり、オペレータＢが使用できる帯域幅の上限は５０ＲＢである。
【００５３】
ステップ２０４：基地局はソートキューにおけるユーザにリソースを割り当てる。オペレータが使用できる帯域幅の上限などの帯域幅占有情報及びアクセスユーザのサービス実行順序情報に基づいて、ソートキューの結果に応じてリソースを割り当て、まずＧＢＲサービスキューを割り当て、次にＮｏｎＧＢＲサービスキューを割り当てる。すなわち、
ＵＥ  ＩＤ＝４のユーザに５個のＲＢを割り当てることができ、
ＵＥ  ＩＤ＝３のユーザに２５個のＲＢを割り当てることができ、
ＵＥ  ＩＤ＝２のユーザに３０個のＲＢを割り当てることができ、
ＵＥ  ＩＤ＝５のユーザに１５個のＲＢを割り当てることができ、
ＵＥ  ＩＤ＝１のユーザに２５個のＲＢを割り当てることができる。
【００５４】
１００個のＲＢリソースを全部割り当てた又は当該スケジューリング機会の終了時間になったら、次のステップを実行する。
【００５５】
ステップ２０５：基地局はリソースの割り当て結果に応じて、各オペレータのすべてのアクセスユーザが実際に占有した帯域幅の総和を統計する。オペレータＡが実際に占有した帯域幅は８０個のＲＢであり、オペレータＢが実際に占有した帯域幅は２０個のＲＢである。
【００５６】
ステップ２０６：基地局はオペレータが実際に占有した帯域幅とオペレータが使用できる帯域幅の上限に応じて、帯域幅修正値を計算する。オペレータＡが実際に占有した帯域幅は８０個のＲＢであり、使用できる帯域幅の上限に比べて１０個のＲＢを超え、従って、帯域幅修正値はΔＡ＝７０−８０＝−１０である。
【００５７】
次回のスケジューリング機会内において、取得された情報に基づいてステップ２０１−ステップ２０６を繰り返す。
【００５８】
実施形態二
二つのオペレータが一つの基地局を共有し、二つのオペレータが２０ＭＨｚ、１００個のＲＢであるネットワーク帯域幅リソースを共有し、オペレータＡの帯域幅占有比例が５０％であり、オペレータＢの帯域幅占有比例が３０％であり、共同占有帯域幅比例が２０％である。他のオペレータが使用しない残りのリソースを互いに占有することが許可される。二つのオペレータのサービスシーケンシングポリシーが同一である。前回のスケジューリング機会内における帯域幅修正値はΔＡ，ｎ＝−１０である。
【００５９】
上記の情報に基づいて、ネットワークの共有方法のステップを詳細に説明する。
【００６０】
ステップ３０１：基地局はアクセスユーザが属しているオペレータの情報と要求サービス情報を取得する。オペレータＡに三つのユーザがアクセスされて、ＵＥ  ＩＤ＝１のユーザが一種のＮｏｎＧＢＲサービスにアクセスし、ＵＥ  ＩＤ＝２のユーザが一種のＮｏｎＧＢＲサービスにアクセスし、ＵＥ  ＩＤ＝３のユーザが一種のＧＢＲサービスにアクセスする。オペレータＢに二つのユーザがアクセスされて、ＵＥ  ＩＤ＝４のユーザが一種のＧＢＲサービスにアクセスし、ＵＥ  ＩＤ＝５のユーザが一種のＮｏｎＧＢＲサービスにアクセスする。
【００６１】
ステップ３０２：基地局はアクセスユーザのサービス実行順序情報を決定する。二つのオペレータのサービスシーケンシングポリシーが同一であるので、二つのオペレータのアクセスユーザが共にソートする。サービス優先保証レベルに応じて、ＵＥ  ＩＤ＝３及び４のユーザのサービスレベルが同じであるので、共にソートし、ソートの結果は：ＵＥ  ＩＤ＝３  →  ＵＥ  ＩＤ＝４である。ＵＥ  ＩＤ＝１、２、５のユーザサービスレベルが同じであるので、共にソートし、ソートの結果は、ＵＥ  ＩＤ＝５  →  ＵＥ  ＩＤ＝１  →  ＵＥ  ＩＤ＝２である。
【００６２】
ステップ３０３：基地局は共有ネットワークオペレータの帯域幅占有情報を修正する。帯域幅修正値はΔＡ，ｎ＝−１０であるので、前回のスケジューリング機会内にオペレータＡが共同占有帯域幅を完全に占有したので、現在スケジューリング機会内に当該オペレータが共同占有帯域幅を占有できないことを表す。オペレータＡの割り当て帯域幅は帯域幅の範囲であって、「５０、７０」であり、オペレータＢの割り当て帯域幅も帯域幅の範囲であって、「３０、５０」である。従って、オペレータＡが使用できる帯域幅の上限は、その割り当て帯域幅の下限に帯域幅修正値をプラスし、即ち５０−１０＝４０個のＲＢであり、オペレータＢが使用できる帯域幅の上限は、全帯域幅にオペレータＡが占有した帯域幅の上限をマイナスし、即ち１００−４０＝６０個のＲＢである。
【００６３】
この際、共同に占有できる帯域幅の占有方式を調整したので、すべてのオペレータが使用できる帯域幅の上限の総和は１００個のＲＢである。
【００６４】
ステップ３０４：基地局はソートキューにおけるユーザにリソースを割り当てる。使用できる帯域幅の上限などの帯域幅占有情報及びアクセスユーザのサービス実行順序情報に基づいて、ソートキューの結果に応じてリソースを割り当て、まずＧＢＲサービスキューを割り当て、次にＮｏｎＧＢＲサービスキューを割り当てる。すなわち、
ＵＥ  ＩＤ＝３のユーザに５個のＲＢを割り当てることができ、
ＵＥ  ＩＤ＝４のユーザに２０個のＲＢを割り当てることができ、
ＵＥ  ＩＤ＝５のユーザに４５個のＲＢを割り当てることができ、
ＵＥ  ＩＤ＝１のユーザに２０個のＲＢを割り当てることができ、
ＵＥ  ＩＤ＝２のユーザに１０個のＲＢを割り当てることができる。
【００６５】
１００個のＲＢリソースを全部割り当てた又は当該スケジューリング機会の終了時間になったら、次のステップを実行する。
【００６６】
ステップ３０５：基地局はリソースの割り当て結果に応じて、各オペレータのすべてのアクセスユーザが実際に占有した帯域幅の総和を統計する。オペレータＡが実際に占有した帯域幅は３５個のＲＢであり、オペレータＢが実際に占有した帯域幅は６５個のＲＢである。
【００６７】
ステップ３０６：基地局はオペレータが実際に占有した帯域幅とオペレータが使用できる帯域幅の上限に応じて、帯域幅修正値を計算する。オペレータＡが実際に占有した帯域幅は３５個のＲＢであり、使用できる帯域幅の上限に比べて５個のＲＢ（当該オペレータが使用できる帯域幅の上限は４０個のＲＢである）が少なく、従って、帯域幅修正値はΔＡ，ｎ＋１＝４０−３５＝５ である。
【００６８】
次回のスケジューリング機会内において、取得された情報に基づいてステップ３０１−ステップ３０６を繰り返す。
【００６９】
実施形態三
二つのオペレータが一つの基地局を共有し、二つのオペレータが２０ＭＨｚ、１００個のＲＢであるネットワーク帯域幅リソースを共有し、オペレータＡの帯域幅占有比例が５０％であり、オペレータＢの帯域幅占有比例が３０％であり、共同占有帯域幅比例が２０％である。残りのリソースを互いに占有することが許可される。オペレータのサービスシーケンシングポリシーが同一である。前回のスケジューリング機会内における帯域幅修正値はΔＡ，ｎ＝５である。
【００７０】
上記の情報に基づいて、ネットワークの共有方法のステップを詳細に説明する。
【００７１】
ステップ４０１：基地局はアクセスユーザが属しているオペレータの情報と要求サービス情報を取得する。オペレータＡに三つのユーザがアクセスされて、ＵＥ  ＩＤ＝１のユーザが一種のＮｏｎＧＢＲサービスにアクセスし、ＵＥ  ＩＤ＝２のユーザが一種のＮｏｎＧＢＲサービスにアクセスし、ＵＥ  ＩＤ＝３のユーザが一種のＧＢＲサービスにアクセスする。オペレータＢに二つのユーザがアクセスされて、ＵＥ  ＩＤ＝４のユーザが一種のＧＢＲサービスにアクセスし、ＵＥ  ＩＤ＝５のユーザが一種のＮｏｎＧＢＲサービスにアクセスする。
【００７２】
ステップ４０２：基地局はアクセスユーザのサービス実行順序情報を決定する。二つのオペレータのサービスシーケンシングポリシーが同一であるので、二つのオペレータのアクセスユーザが共にソートする。サービス優先保証レベルにより、ＵＥ  ＩＤ＝３及び４のユーザサービスレベルが同じで共にソートし、ソートの結果は、ＵＥ  ＩＤ＝４  →  ＵＥ  ＩＤ＝３である。ＵＥ  ＩＤ＝１、２、５のユーザサービスレベルが同じであるので、共にソートし、ソートの結果は、ＵＥ  ＩＤ＝１  →  ＵＥ  ＩＤ＝２  →  ＵＥ  ＩＤ＝５である。
【００７３】
ステップ４０３：基地局は帯域幅修正を初期化する。オペレータＡの割り当て帯域幅は帯域幅の範囲であって、「５０、７０」であり、オペレータＢの割り当て帯域幅も帯域幅の範囲であって、「３０、５０」である。帯域幅修正値はΔＡ，ｎ＝５であるので、現在スケジューリング機会内に、オペレータＡが使用できる帯域幅の上限は、その割り当て帯域幅の上限に帯域幅修正値をプラスし、即ち７０＋５＝７５個のＲＢであり、オペレータＢが使用できる帯域幅の上限は、全帯域幅にオペレータＡが占有した帯域幅の上限をマイナスし、即ち１００−７５＝２５個のＲＢである。
【００７４】
ステップ４０４：基地局はソートキューにおけるユーザにリソースを割り当てる。基地局は使用できる帯域幅の上限などの帯域幅占有情報及びアクセスユーザのサービス実行順序情報に基づいて、ソートキューの結果に応じてリソースを割り当て、まずＧＢＲサービスキューを割り当て、次にＮｏｎＧＢＲサービスキューを割り当てる。すなわち、
ＵＥ  ＩＤ＝３のユーザに２０個のＲＢを割り当てることができ、
ＵＥ  ＩＤ＝４のユーザに１０個のＲＢを割り当てることができ、
ＵＥ  ＩＤ＝５のユーザに１５個のＲＢを割り当てることができ、
ＵＥ  ＩＤ＝１のユーザに３５個のＲＢを割り当てることができ、
ＵＥ  ＩＤ＝２のユーザに２０個のＲＢを割り当てることができる。
【００７５】
１００個のＲＢリソースを割り当てた又は当該スケジューリング機会の終了時間になったら、次のステップを実行する。
【００７６】
ステップ４０５：基地局はリソースの割り当て結果に応じて、各オペレータのすべてのアクセスユーザが実際に占有した帯域幅の総和を統計する。オペレータＡが実際に占有した帯域幅は７５個のＲＢであり、オペレータＢが実際に占有した帯域幅は２５個のＲＢである。
【００７７】
ステップ４０６：基地局はオペレータが実際に占有した帯域幅とオペレータが使用できる帯域幅に応じて、帯域幅修正値を計算する。オペレータＡが実際に占有した帯域幅は７５個のＲＢであり、使用できる帯域幅の上限も７５個のＲＢであり、従って、帯域幅修正値はΔＡ，ｎ＋１＝ΔＡ，ｎ−５＝０である。
【００７８】
次回のスケジューリング機会内において、取得された情報に基づいてステップ４０１−ステップ４０６を繰り返す。
【００７９】
実施形態四
三つのオペレータが一つの基地局を共有し、三つのオペレータが２０ＭＨｚ、１００個のＲＢであるネットワーク帯域幅リソースを共有し、オペレータＡの帯域幅占有比例が３０％であり、オペレータＢの帯域幅占有比例が３０％であり、オペレータＣの帯域幅占有比例が４０％である。互いに占有することが許可されない。オペレータのサービスシーケンシングポリシーが異なる。
【００８０】
上記の情報に基づいて、ネットワークの共有方法のステップを詳細に説明する。
【００８１】
ステップ５０１：基地局はアクセスユーザが属しているオペレータの情報と要求サービス情報を取得する。オペレータＡに二つのユーザがアクセスされて、ＵＥ  ＩＤ＝１のユーザが一種のＮｏｎＧＢＲサービスにアクセスし、ＩＤ＝２のユーザが一種のＧＢＲサービスにアクセスする。オペレータＢに三つのユーザがアクセスされて、ＵＥ  ＩＤ＝３のユーザが一種のＮｏｎＧＢＲサービスにアクセスし、ＩＤ＝４のユーザが一種のＮｏｎＧＢＲサービスにアクセスし、ＵＥ  ＩＤ＝５のユーザが一種のＧＢＲサービスにアクセスする。オペレータＣに二つのユーザがアクセスされて、ＵＥ  ＩＤ＝６のユーザが一種のＮｏｎＧＢＲサービスにアクセスし、ＵＥ  ＩＤ＝７のユーザが一種のＧＢＲサービスにアクセスする。
【００８２】
ステップ５０２：基地局はアクセスユーザのソートした順序を決定する。オペレータのサービスシーケンシングポリシーが異なるので、三つのオペレータのアクセスユーザがそれぞれソートする。サービス優先保証レベルにより、オペレータＡに属しているユーザのソートの結果は、ＵＥ  ＩＤ＝２  →  ＵＥ  ＩＤ＝１である。オペレータＢに属しているユーザのソートの結果は、ＵＥ  ＩＤ＝５  →  ＵＥ  ＩＤ＝４  →  ＵＥ  ＩＤ＝３である。オペレータＣに属しているユーザのソートの結果は、ＵＥ  ＩＤ＝７  →  ＵＥ  ＩＤ＝６である。
【００８３】
ステップ５０３：基地局は帯域幅修正を初期化する。オペレータＡの割り当て帯域幅の上限は１００＊３０％＝３０個のＲＢであり、オペレータＢの割り当て帯域幅の上限は１００＊３０％＝３０個のＲＢであり、オペレータＣの割り当て帯域幅の上限は１００＊４０％＝４０個のＲＢであり、この際、オペレータＡの帯域幅は３０個のＲＢであり、オペレータＢの帯域幅は３０個のＲＢであり、オペレータＣの帯域幅は３０個のＲＢである。
【００８４】
オペレータＡ、Ｂ、Ｃは互いにソースを占有することが許可されないので、帯域幅修正値が必要ない。各オペレータが使用できる帯域幅の上限と割り当て帯域幅の上限は同じである。
【００８５】
ステップ５０４：基地局はソートキューにおけるユーザにリソースを割り当てる。使用できる帯域幅の上限などの帯域幅占有情報及びアクセスユーザのサービス実行順序情報に基づいて、ソートの結果に応じてソースを割り当て、まずＧＢＲサービスキューを割り当て、次にＮｏｎＧＢＲサービスキューを割り当てる。すなわち、
オペレータＡ：
ＵＥ  ＩＤ＝２のユーザに１０個のＲＢを割り当てることができ、
ＵＥ  ＩＤ＝１のユーザに２０個のＲＢを割り当てることができる。
【００８６】
オペレータＢ：
ＵＥ  ＩＤ＝５のユーザに５個のＲＢを割り当てることができ、
ＵＥ  ＩＤ＝４のユーザに１５個のＲＢを割り当てることができ、
ＵＥ  ＩＤ＝３のユーザに１０個のＲＢを割り当てることができる。
【００８７】
オペレータＣ：
ＵＥ  ＩＤ＝７のユーザに１０個のＲＢを割り当てることができ、
ＵＥ  ＩＤ＝６のユーザに２０個のＲＢを割り当てることができる。
【００８８】
１００個のＲＢリソースを割り当てた又は当該スケジューリング機会の終了時間になったら、次のステップを実行する。
【００８９】
ステップ５０５：基地局はリソースの割り当て結果に応じて、各オペレータのすべてのアクセスユーザが実際に占有した帯域幅の総和を統計する。オペレータＡが実際に占有した帯域幅は３０個のＲＢであり、オペレータＢが実際に占有した帯域幅は３０個のＲＢであり、オペレータＣが実際に占有した帯域幅は３０個のＲＢである。帯域幅占有基準に基づいて、残りのリソースを互いに占有することが許可されないので、オペレータＣが残した１０個のＲＢはオペレータＡとＢに使用されることができず、帯域幅修正値を計算する必要がない。
【００９０】
ステップ５０６：基地局はオペレータが実際に占有した帯域幅と使用できる帯域幅の上限に応じて、帯域幅修正値を計算する。帯域幅占有基準に基づいて、残りのリソースを互いに占有することが許可されないので、オペレータＣが残した１０個のＲＢはオペレータＡとＢに使用されることができず、帯域幅修正値を計算する必要がない。
【００９１】
次回のスケジューリング機会内において、取得された情報に基づいてステップ５０１−５０６を繰り返す。
【００９２】
実施形態五
ネットワークの共有装置であって、図３に示すように、前記装置は、
アクセスユーザの情報と共有ネットワークオペレータの帯域幅占有情報を取得し、且つアクセスユーザのサービス実行順序情報を決定するように構成される取得モジュールと、
共有ネットワークオペレータの帯域幅占有情報を修正するように構成される共有モジュールと、
アクセスユーザのサービス実行順序情報と修正された共有ネットワークオペレータの帯域幅占有情報に基づいて帯域幅リソースを割り当て、且つ実際の帯域幅リソース情報を統計し、均衡を行う又は新しい帯域幅修正値を決定するように構成されるスケジューリングモジュールと、を備える。
【００９３】
帯域幅占有基準において、オペレータの間は互いに残りのリソースを占有することが許可されない場合、帯域幅修正値を計算する必要がない。
【００９４】
図４に示すように、当該共有モジュールはスケジューリングモジュールに嵌め込まれたことができ、一つの共有サブモジュールになる。
【００９５】
実施形態六
図５に示すように、二つのオペレータが連携してネットワーキングし、ネットワークにおける三つの基地局を共有する。オペレータＡの帯域幅占有比例が５０％であり、オペレータＢの帯域幅占有比例が５０％である。互いに残りのリソースを占有することが許可される。帯域幅修正値は０である。
【００９６】
上記の情報に基づいて、ネットワークの共有方法のステップを詳細に説明する。
【００９７】
ステップ６０１：共有装置はアクセスユーザが属しているオペレータの情報、要求サービス情報とオペレータのソートポリシーに応じて、アクセスユーザのキューシーケンス情報を決定する。
【００９８】
ステップ６０２：共有装置は帯域幅修正を初期化する。二つのオペレータは一つの帯域幅修正値のみ必要とし、オペレータＡの帯域幅修正値の初期化はΔＡ＝０である。各基地局において、オペレータＡの割り当て帯域幅の上限は、１００＊５０％＝５０個のＲＢであり、オペレータＢの割り当て帯域幅の上限は、１００＊５０％＝５０個のＲＢであり、オペレータＡの割り当て帯域幅は５０個のＲＢであり、オペレータＢの割り当て帯域幅は５０個のＲＢである。帯域幅修正値が現在スケジューリング機会内にオペレータが使用できる帯域幅の上限を修正することによって、帯域幅修正値が０であるので、現在スケジューリング機会内にオペレータＡが使用できる帯域幅の上限は５０個のＲＢであり、オペレータＢが使用できる帯域幅の上限は５０個のＲＢである。
【００９９】
ステップ６０３：基地局はオペレータが使用できる帯域幅の上限などの帯域幅占有情報及びアクセスユーザのキューシーケンス情報に基づいて、リソースを割り当てる。
【０１００】
ステップ６０４：基地局は割り当ての結果に応じて、各オペレータのすべてのアクセスユーザが実際に占有した帯域幅の総和を統計する。すなわち、以下のとおりである。
【０１０１】
基地局１：
オペレータ１のユーザに６０個のＲＢを割り当てることができ、
オペレータ２のユーザに２０個のＲＢを割り当てることができる。
【０１０２】
基地局２：
オペレータ１のユーザに７０個のＲＢを割り当てることができ、
オペレータ２のユーザに３０個のＲＢを割り当てることができる。
【０１０３】
基地局３：
オペレータ１のユーザに５０個のＲＢを割り当てることができ、
オペレータ２のユーザに４０個のＲＢを割り当てることができる。
【０１０４】
オペレータ１の平均リソース占有率は（６０＋７０＋５０）／３／１００＝６０％であり、オペレータ２の平均リソース占有率は（２０＋３０＋４０）／３／１００＝３０％である。
【０１０５】
ステップ６０５：基地局はオペレータが実際に占有した帯域幅とオペレータが使用できる帯域幅に応じて、帯域幅修正値を計算する。オペレータＡが実際に占有した帯域幅は６０％であり、使用できる帯域幅比例の上限に比べて１０％（当該オペレータが使用できる帯域幅の比例は５０％である）を超え、従って、帯域幅修正値はΔＡ＝−１０％である。
【０１０６】
ステップ６０６：共有装置は異なる基地局のサービスを均衡する。当該装置は全ネットワークにおいてオペレータ１により占有されたリソースが最大である基地局をサーチして、基地局２をサーチした。基地局２のリソースが全部占有され、基地局２のサービス要求が一番多いことを表し、基地局２のサービスを他の基地局に均衡する必要がある。全ネットワークにおいてオペレータ１により占有されたリソースが最小である基地局をサーチして、基地局３をサーチして、リソース占有率が５０％であり、その帯域幅占有比例に達し、全ネットワークにおいてオペレータ１のサービス要求がより大きいことを表し、各基地局がいずれも占有比例を満たして、オペレータ１のサービスを均衡せず、基地局２におけるオペレータ２のサービスを均衡する。全ネットワークにおいてオペレータ２により占有されたリソースが最小である基地局をサーチし、基地局１をサーチして、ソース占有率が２０％であり、基地局２におけるオペレータ２のサービスを基地局１に均衡する。
【０１０７】
上記基地局の個数は具体的な状況に応じて任意の個数であってよい。
【０１０８】
実施形態七
図６に示すような複数のオペレータがネットワークを共有するシステムであって、図に示されたネットワークが１つ又は複数であってよい。図６において前記ｎは１より大きい正整数である。ここで、ネットワークｎは第ｎ個のネットワークを表す。前記ネットワークｎ−１は第ｎ−１個のネットワークを表し、前記ネットワークの共有システムは下記のステップを実行することに用いられる。
【０１０９】
ステップ７０１：共有装置はアクセスユーザが属しているオペレータの情報と要求サービス情報に基づいてアクセスユーザのサービス実行順序情報を決定し、且つ共有ネットワークオペレータの帯域幅占有情報と初期化された帯域幅修正を決定する。
【０１１０】
ステップ７０２：ネットワークにおける各基地局は使用できる占有帯域幅の上限などの帯域幅占有情報及びアクセスユーザのサービス実行順序情報に基づいて、当該基地局における各オペレータのユーザをそれぞれスケジューリングする。
【０１１１】
ステップ７０３：ネットワークにおける各基地局は各オペレータが実際に占有した帯域幅を統計し、ネットワークの共有装置に通知する。
【０１１２】
ステップ７０４：共有装置は各基地局における各オペレータが実際に占有した帯域幅を取得し、オペレータの帯域幅占有基準に基づいて次回のスケジューリング機会内に各基地局における各オペレータが占有した帯域幅の上限を修正する。
【０１１３】
ステップ７０５：共有装置はオペレータが占有した帯域幅の上限を修正した結果をネットワークにおける各基地局に通知する。
【０１１４】
以上は、本発明の最適的な実施例に過ぎなく、本発明の保護範囲を限定することに用いられるものではない。本発明において開示された技術範囲で、変化または入れ替えがすべて本発明の保護範囲に含まれるべきであることを容易に考えることができる。
【図１】
0006420361.tif 000002
【図２】
0006420361.tif 000003
【図３】
0006420361.tif 000004
【図４】
0006420361.tif 000005
【図５】
0006420361.tif 000006
【図６】
0006420361.tif 000007
【図７】
0006420361.tif 000008